(57)【特許請求の範囲】
【請求項１】
乗客を支えるエレベータのかご床において、
乗客が踏みしめる床板と、
上記床板を係止したとき上記床板を補強する補強材と、
上記床板に固定されるとともに上記床板を上記補強材に係止する係止部材と、
を備え、
上記床板を上記補強材に係止するとき、上記床板を撓ませることにより上記係止部材を傾けながら上記床板を上記補強材と合わせ、次に上記床板を平らに戻して上記係止部材を上記補強材に係止することを特徴とするエレベータのかご床。
【請求項２】
上記床板が汚れたり凹んだりして新たな上記床板に交換するとき、上記汚れたり凹んだりした床板を表面が凸になるように撓ませてから取り外すことを特徴とする請求項１に記載のエレベータのかご床。
【請求項３】
上記床板を上記補強材と巾木台との間に挟んで締め付けることを特徴とする請求項１に記載のエレベータのかご床。
【発明の詳細な説明】
【技術分野】
【０００１】
この発明は、エレベータのかご床に関するものである。
【背景技術】
【０００２】
従来のエレベータのかご床は、床板と床板に溶接される横断面山形をなす補強材から構成されている（例えば、特許文献１参照）。
【先行技術文献】
【特許文献】
【０００３】
【特許文献１】実公昭５９−４０３８３号公報
【発明の概要】
【発明が解決しようとする課題】
【０００４】
従来のかご床は、床板と補強材とを溶接により結合することで形成しているため、補強材と床板とを溶接するには作業が煩雑であることから多大な時間が必要であったり、溶接技術を持つ技能者が必要であったりするという問題がある。
また、床板が汚れたり凹んだりして床板の交換が生じたときには、溶接を外してかご室を分解しなければならないため容易には交換できないという問題がある。
【０００５】
この発明は、前記のような課題を解決するためになされたものであり、床板が補強材によりしっかりと補強されているとともに容易に床板を補強材から分離できるエレベータのかご床を提供することを目的とする。
【課題を解決するための手段】
【０００６】
この発明に係るエレベータのかご床は、乗客を支えるエレベータのかご床において、乗客が踏みしめる床板と、上記床板を係止したとき上記床板を補強する補強材と、上記床板に固定されるとともに上記床板を上記補強材に係止する係止部材と、を備え、上記床板を上記補強材に係止するとき、上記床板を撓ませることにより上記係止部材を傾けながら上記床板を上記補強材と合わせ、次に上記床板を平らに戻して上記係止部材を上記補強材に係止する。
【０００７】
また、この発明に係る別のエレベータのかご床は、乗客を支えるエレベータのかご床において、乗客が踏みしめる敷物と、上記敷物を係止したとき上記敷物を補強する補強材と、上記敷物に固定されるとともに上記敷物を上記補強材に係止する係止部材と、を備え、上記敷物を上記補強材に係止するとき、上記敷物を撓ませることにより上記係止部材を傾けながら上記敷物を上記補強材と合わせ、次に上記敷物を平らに戻して上記係止部材を上記補強材に係止する。
【発明の効果】
【０００８】
この発明に係るエレベータのかご床は、床板を表面が凸になるように撓ませることにより係止部材を補強材に対して鉛直方向に係止して床板を補強材の上に載置するので、床板を撓ませるというような簡単な処理で床板を補強材に容易に組み付けできるという効果を奏する。
【図面の簡単な説明】
【０００９】
【図１】この発明の実施の形態１に係るかご床の床板を補強材から分離した様子を示す斜視図である。
【図２】床板を撓ませて補強材に係止する様子を示す斜視図である。
【図３】床板が補強材に係止された状態のかご床の断面図である。
【図４】この発明の実施の形態２に係るかご床の断面図である。
【発明を実施するための形態】
【００１０】
以下、この発明のエレベータのかご床の好適な実施の形態につき図面を用いて説明する。図１は、この発明の実施の形態１に係るかご床の床板を補強材から分離した様子を示す斜視図である。図２は、床板を撓ませて補強材に係止する様子を示す斜視図である。図３は、床板が補強材に係止された状態のかご床の断面図である。
【００１１】
実施の形態１．
この発明の実施の形態１に係るかご床１は、補強材２と、その補強材２に係止される床板３と、その床板３に固定されるとともに補強材２に係止する係止部材としての爪４と、を備える。
そして、その補強材２は、かご床１の前面に横たわる溝形鋼からなる前梁５と、前梁５の両端から奥方向に延びるとともにかご床１の両側面に横たわる溝形鋼からなる側梁６ａ、６ｂと、両側の側梁６ａ、６ｂ間に連結される山形鋼からなる複数の床梁７と、かご床１の後面に横たわる溝形鋼からなる後梁８と、を備える。
【００１２】
前梁５の溝形鋼は、両側のフランジが下向きになるように配置される。側梁６ａ、６ｂの溝形鋼は、フランジが水平方向に外側に向くように配置されている、床梁７の山形綱は、一方のフランジが上向きになるように配置されている。後梁８の溝形鋼は、フランジが水平方向に外側に向くように配置されている。
なお、側梁６ａ、６ｂと後梁８とには、上側のフランジの先端に山形綱からなる巾木台９が固定されている。その巾木台９の山形綱の側梁６ａ、６ｂまたは後梁８に連なるフランジが鉛直に延び、他方のフランジが内側に水平方向に延びている。
【００１３】
床板３には補強材２に面する面（以下、裏面と称す）に側梁６ａ、６ｂに沿ってそれぞれ２個、全体として４つの爪４が固定されている。爪４は、断面がＬ字状の個片であり、Ｌ字の書き始めに相当する端部が床板３の裏面に固定される。そして、Ｌ字の書き終わりに相当する端部が側梁６ａ、６ｂの溝形鋼のフランジに面するように固定される。また、爪４は、側端面が前梁５と後梁８に接する位置に固定されている。
また、爪４のＬ字の書き終わりに相当する端部は、床板３が撓まないとき側梁６ａ、６ｂの溝形鋼のウェブより外側に位置する。従って、床板３を平らにして補強材２の上から降下させると、爪４が側梁６ａ、６ｂの溝形鋼の上側のフランジに当たりそれより下には降下できない。
【００１４】
床板３は、爪４のＬ字の書き終わりに相当する端部が側梁６ａ、６ｂの溝形鋼のウェブより内側に入るように、撓ませて表面を凸にすることができる。このように、床板３を表面を凸にして撓ませながら床板３を補強材２の上から降下させると、爪４が側梁６ａ、６ｂの溝形鋼の上側のフランジに当たらずに降下し、床板３の裏面が側梁６ａ、６ｂの溝形鋼の上側のフランジに当たって床板３の降下が止まる。その後、床板３を平らに戻すと爪４のＬ字の書き終わりに相当する端部が側梁６ａ、６ｂの溝形鋼の下側のフランジに沿って外側に移動する。
【００１５】
このように床板３を補強材２に取り付けると、爪４が側梁６ａ、６ｂの溝形鋼の下側のフランジに係止されるので、床板３が上方に抜けることがない。また、床板３の上に人が載ったとき床板３は裏面が凸に撓み、爪４のＬ字の書き終わりに相当する端部が、さらに外側に移動するので、床板３がより補強材２から外れることが防げる。
【００１６】
床板３が汚れたり凹んだりして交換が必要になったときには、前梁５の中央に対応する床板３の中央を凸になるように撓ませると、爪４のＬ字の書き終わりに相当する端部が、側梁６ａ、６ｂの溝形鋼の下側のフランジに沿って側梁６ａ、６ｂの溝形鋼のウェブより内側まで移動する。そのように床板３を撓ませてからそのままの状態で床板３を上に引き上げると床板３を補強材２から取り外すことができる。
【００１７】
この発明の実施の形態１に係るエレベータのかご床１は、床板３を表面が凸になるように撓ませることにより爪４を補強材２に対して鉛直方向に係止して床板３を補強材２の上に載置するので、床板３を撓ませるというような簡単な処理で床板３を補強材２に容易に組み付けできる。
また、乗客の乗り降りによる床板３への加重方向は鉛直下向きであることから、床板３は下側に凸に撓んだ状態にしかならないので、床板３が補強材２から外れることはない。
【００１８】
また、床板３の交換の必要が生じたときも、床板３を表面を凸に撓ませることで容易に床板３の交換が行える。
また、爪の前後方向は前梁５、後梁８に面一になるよう寸法関係が設定されているので、乗客等が乗り込む際の横ズレを防ぐことができる。
【００１９】
実施の形態２．
図４は、この発明の実施の形態２に係るかご床の断面図である。
この発明の実施の形態２に係るエレベータのかご床１Ｂは、この発明の実施の形態１に係るエレベータのかご床１と巾木台９Ｂが異なっており、それ以外は同様であるので、同様な部分に同じ符号を付記し説明は省略する。
【００２０】
この発明の実施の形態１に係る巾木台９は、山形綱からなり、側梁６ａ、６ｂの溝形鋼の上側のフランジの先端に溶接で固定されているが、この発明の実施の形態２に係る巾木台９Ｂは、溝形鋼からなり、側梁６ａ、６ｂの溝形鋼の上側のフランジに、間に床板３を介在させてボルト１１とナット１２で固定されている。
そのため、側梁６ａ、６ｂの溝形鋼の上側のフランジに取り付け孔が巾木台９Ｂに開けられた孔に対応する位置に開けられている。また、同様に床板３にも巾木台９Ｂに開けられた孔に対応する位置に取り付け孔が開けられている。
【００２１】
次に、この発明の実施の形態２に係るかご床１Ｂを組み立てる手順を説明する。
最初に、前梁５、側梁６ａ、６ｂ、床梁７、後梁８を溶接により固定して補強材２を用意する。
次に、爪４が固定された床板３を床梁７の中央に対応する床板３の中央を表面が凸になるように撓ませて床板３の爪４が側梁６ａ、６ｂの内側を通るようにして、床板３を補強材２に係止する。そうすると、側梁６ａ、６ｂの溝形鋼の上側のフランジの孔と床板３の孔とが重なる。
次に、巾木台９Ｂをボルト１１とナット１２とで側梁６ａ、６ｂの溝形鋼の上側のフランジに締結する。
【００２２】
この発明の実施の形態２に係るエレベータのかご床１Ｂでは、床板３が側梁６ａ、６ｂと巾木台９Ｂとの間で締め付けられるので、乗客等の乗り降りにより、床板３が裏面が凸形に変形したとき、床板３の外周端部が浮き上がるのを防ぐことが出来る。
【００２３】
なお、上述の実施の形態では、床板３を容易に取り付け、取り外しができることを説明したが、かご床の敷物も同様に容易に取り付け、取り外しができる。
また、上述の実施の形態では、爪４を左右それぞれ２個設けたが、これに限るものではない。
また、補強材２を溝形鋼や山形綱で構成したが、これに限るものではなく、爪４の爪部が係止する形状を有しておれば良い。
【符号の説明】
【００２４】
１  エレベータのかご床、２  補強材、３  床板、４  爪、５  前梁、６ａ、６ｂ  側梁、７  床梁、８  後梁、９、９Ｂ  巾木台、１１  ボルト、１２  ナット。
【図１】
0005409150.tif 000002
【図２】
0005409150.tif 000003
【図３】
0005409150.tif 000004
【図４】
0005409150.tif 000005